(57)【要約】      （修正有）【課題】木材の出し入れが容易で、木材を高品質に維持して効率よく乾燥させることができる木材乾燥装置を提供する。【解決手段】木材乾燥装置１は、乾燥庫２と電気式ヒータ６と、ファン７からなる。乾燥庫２は、複数の木材を横置きにして装入し収容可能に正面に横方向に長い開口３０を有する横方向に長い箱形に形成される乾燥庫本体３と、乾燥庫本体３の開口３０を開閉する扉４と、乾燥庫本体３の背面側から開口３０に向けて延びる複数の支持アーム５１が水平方向に並列にかつ垂直方向に複数段に配列されてなるラック５とを備える。複数の木材を横置きにして開口３０を通じて乾燥庫２内に装入し、各段の各支持アーム５１に横置きに積み上げて乾燥する。【選択図】図１
0003166769.tif 000002
【実用新案登録請求の範囲】
【請求項１】
複数の木材を収容可能な密閉された空間を画成する乾燥庫と、前記乾燥庫内に設置され、前記乾燥庫内の空気を加熱する電気式ヒータ、及び前記乾燥庫内の空気を循環させるためのファンとを備え、複数の木材を前記乾燥庫内に収容して、前記乾燥庫内の空気を前記ヒータにより加熱し、前記ファンにより循環させて、前記各木材を乾燥する木材乾燥装置において、
前記乾燥庫は、複数の木材を横置きにして装入し収容可能に正面に横方向に長い開口を有する横方向に長い箱形に形成される乾燥庫本体と、
前記乾燥庫本体に前記開口に開閉可能に取り付けられる、折り畳み式又は巻き取り式又はスライド式の扉と、
前記乾燥庫本体内に前記木材を横置きにして支持可能に、前記乾燥庫本体の背面側から前記開口に向けて水平に延びる複数の支持アームが水平方向に並列にかつ垂直方向に複数段に配列されてなるラックと、
を備え、
複数の木材を横置きにして前記開口を通じて前記乾燥庫内に装入し、前記各段の前記各支持アームに横置きに積み上げて乾燥する、
ことを特徴とする木材乾燥装置。
【請求項２】
扉は木材により形成され、必要に応じて、扉の内側で開口が保温性及び透湿性を有するシートにより覆われて、乾燥庫の内部と外部が遮断される請求項１に記載の木材乾燥装置。
【請求項３】
扉は金属材により形成され、扉の内側で開口は保温性及び透湿性を有するシートにより覆われ、乾燥庫の内部と外部が遮断される請求項１に記載の木材乾燥装置。
【考案の詳細な説明】
【技術分野】
【０００１】  本考案は、木材の乾燥に使用する木材乾燥装置に関する。
【背景技術】
【０００２】  一般に、製材された直後の単板は、水分の含有率が多く、このまま各種の製品を製造するための材料として使用されると、乾燥の進行に伴い割れや寸法誤差が生じることがあることから、予め乾燥させることが行われている。【０００３】  この種の木材乾燥装置が例えば特許文献１により提案されている。この文献１の木材乾燥装置は、複数の木材を収容可能な密閉された空間を画成する乾燥庫と、乾燥庫内に設置され、乾燥庫内の空気を加熱する電気式ヒータ、及び乾燥庫内の空気を循環させるためのファンとを備え、複数の木材を乾燥庫内に収容して、乾燥庫内の空気をヒータで加熱し、ファンにより循環させて、木材を乾燥するようになっている。
【先行技術文献】
【特許文献】
【０００４】
【特許文献１】実公平４−３３７５７号公報
【考案の概要】
【考案が解決しようとする課題】
【０００５】  しかしながら、従来の木材乾燥装置では、木材を乾燥庫内に収容する場合、木材を縦置きにすると、木材の出し入れにフォークリフトを使用することができないため、木材の出し入れが手作業になって、作業性が悪いという問題があり、また、木材を乾燥庫内に横置きの平積みにすると、木材の出し入れをフォークリフトを使用して行うことができるので、木材の出し入れの作業性が向上するが、他面で、先に入れた木材が後から入れた木材の下になっていくので、複数の木材が乾燥庫内の天井近くまで積み上げられると、先に入れた木材が取り出しにくくなり、また、先に入れた木材は上に積まれた木材の荷重を受けて曲がったり損傷したりすることがある、というまた別の問題がある。【０００６】  本考案は、このような従来の課題を解決するもので、この種の木材乾燥装置において、乾燥させる木材の出し入れが容易で、木材を曲げたり損傷させたりすることなく、効率よく乾燥させること、を目的とする。
【課題を解決するための手段】
【０００７】  上記目的を達成するために、本考案の木材乾燥装置は、複数の木材を収容可能な密閉された空間を画成する乾燥庫と、前記乾燥庫内に設置され、前記乾燥庫内の空気を加熱する電気式ヒータ、及び前記乾燥庫内の空気を循環させるためのファンとを備え、複数の木材を前記乾燥庫内に収容して、前記乾燥庫内の空気を前記ヒータにより加熱し、前記ファンにより循環させて、前記各木材を乾燥する木材乾燥装置において、前記乾燥庫は、複数の木材を横置きにして装入し収容可能に正面に横方向に長い開口を有する横方向に長い箱形に形成される乾燥庫本体と、前記乾燥庫本体に前記開口に開閉可能に取り付けられる、折り畳み式又は巻き取り式又はスライド式の扉と、前記乾燥庫本体内に前記木材を横置きにして支持可能に、前記乾燥庫本体の背面側から前記開口に向けて水平に延びる複数の支持アームが水平方向に並列にかつ垂直方向に複数段に配列されてなるラックとを備え、複数の木材を横置きにして前記開口を通じて前記乾燥庫内に装入し、前記各段の前記各支持アームに横置きに積み上げて乾燥する、ことを要旨とする。
この場合、扉は木材により形成され、必要に応じて、扉の内側で開口が保温性及び透湿性を有するシートにより覆われて、乾燥庫の内部と外部が遮断される。また、扉は金属材により形成され、扉の内側で開口は保温性及び透湿性を有するシートにより覆われ、乾燥庫の内部と外部が遮断される。
なお、乾燥庫は木材により形成され、この場合、必要に応じて、乾燥庫の内面が保温性及び透湿性を有するシートにより被覆される。また、乾燥庫は金属材により形成されてもよく、この場合、乾燥庫の内面が保温性及び透湿性を有するシートにより被覆される。
【考案の効果】
【０００８】  本考案の木材乾燥装置によれば、上記構成により、複数の木材を横置きにして乾燥庫の正面の横長の開口を通じて横長の乾燥庫内に装入し、乾燥庫内の各段の各支持アームに分けて横置きに積み上げて乾燥するので、乾燥させる木材の出し入れが容易で、木材を曲げたり損傷させたりすることなく、効率よく乾燥させることができる、という効果を奏する。
【図面の簡単な説明】
【０００９】
【図１】本考案の一実施の形態における木材乾燥装置の平面断面図
【図２】同木材乾燥装置の側面断面図
【図３】同木材乾燥装置の特に乾燥庫本体の正面図
【図４】同木材乾燥装置における木材の搬入搬出作業を示す図
【考案を実施するための形態】
【００１０】  次に、この考案の一実施の形態について、図を用いて説明する。図１に示すように、木材乾燥装置１は、複数の木材を収容可能な密閉された空間を画成する乾燥庫２と、乾燥庫２内に設置され、乾燥庫２内の空気を加熱する電気式ヒータ６、及び乾燥庫２内の空気を循環させるためのファン７とを備え、複数の木材を乾燥庫２内に収容して、乾燥庫２内の空気をヒータ６で加熱し、ファン７により循環させて、木材を乾燥するようになっている。
【００１１】  この木材乾燥装置１では、乾燥庫２は、図３に示すように、複数の木材を横置きにして装入し収容可能に、正面に横方向に長い開口３０を有する横方向に長い箱形に形成される乾燥庫本体３と、図１に示すように、乾燥庫本体３に開口３０を開閉可能に取り付けられ、複数の扉パネル４０１からなる折り畳み式の扉４と、乾燥庫本体３内に木材を横置きにして支持可能に、乾燥庫本体３の背面３２側から正面３１の開口３０に向けて水平に延びる複数の支持アーム５１が水平方向に並列にかつ垂直方向に複数段に配列されてなるラック５とを備えて構成される。また、この木材乾燥装置１の場合、扉４の内側で開口３０が保温性及び透湿性を有し、さらに遠赤外線の透過率の低いシート４４により覆われて、乾燥庫２の内部と外部が遮断される。
【００１２】  この場合、乾燥庫本体３は、図３に示すように、基本的に木材により組み立てられ、一部が鋼材などにより補強されて、全体が横長の直方体形状に形成され、横長の長方形を呈する正面３１及び背面３２と、正面３１及び背面３２より小さい縦長の長方形を呈する左右両側面３３、３４と、正面３１及び背面３２より少し小さい横長の長方形を呈する上面３５及び下面３６とを備え、乾燥庫設置面上にＨ形鋼などからなる設置ベース２１を介して据え付けられる。正面３１は木材を出し入れするため、上部と左右両側部を少し残して大きく開放された横長の開口３０が形成され、この開口３０に、図１に示すように、折り畳み式の扉４が取り付けられる。この扉４については後述する。また、背面３２の一部には、図１に示すように、作業者が乾燥庫本体３内に出入りするための小さな開口３２０が併せて形成され、この開口３２０にこの開口３２０を開閉するための扉３２１が取り付けられる。なお、この場合、扉３２１は開き戸式の扉が取り付けられる。また、乾燥庫本体３の上面３５には乾燥庫本体３内を換気するための換気用の開口が形成され、換気用のファンが設置される（図示省略）。さらに、この乾燥庫本体３の内部には、図２に示すように、上面３５の下方所定の高さに天井部３５１が形成され、この場合、天井部３５１は複数の木材（角材）が前後方向及び左右方向に架け渡されて格子状に組み付けられ、前後方向に掛け渡される各木材と左右方向に架け渡される各木材との間が四角形に開口される。なお、ここで乾燥庫本体３は横長の直方体形状に形成されているが、横長の直方体形状に代えて、横長の半円筒形状であってもかまわない。この場合も、横長の正面に横長の開口が形成されることは同様である。
【００１３】  折り畳み式の扉４は、図１に示すように、乾燥庫本体３の正面開口３０の幅方向中央を境に、開口３０の片側一方の半面、この場合、右側半面を覆い、乾燥庫本体３の内部と外部とを遮断する右側一方の扉４１と、片側他方の半面、この場合、左側半面を覆い、乾燥庫本体３の内部と外部と遮断する左側他方の扉４２とを備える。右側一方の扉４１及び左側他方の扉４２は左右対称の同一の構造を備え、それぞれ、開口３０の各半面を覆う複数の扉パネル４０１と、これらの扉パネル４０１を伸展可能にかつ折り畳み可能に駆動する扉駆動機構４３とを有する。この場合、複数の扉パネル４０１はそれぞれ、図２に示すように、木材により縦長の長方形に形成され、一部を鋼材などにより補強されて構成され、上部側所定の位置にローラ４０２が水平方向に回転可能に軸支され、下部側所定の位置にローラ４０３が垂直方向に回転可能に軸支される。これらの扉パネル４０１はそれぞれ、各側部がヒンジ４０４（図１参照）を介して相互に一連の連結状態に伸展可能にかつ中央の扉パネル４０１を除いて折り畳んで重合可能に連結される。扉駆動機構４３はそれぞれ、図２に示すように、乾燥庫本体３の正面３１上部に水平方向に取り付けられ、各扉パネル４０１上部のローラ４０２が係合可能な上部ガイドレール４３１、及び上部ガイドレール４３１に近接してこの上部ガイドレール４３１と平行に取り付けられるチェーン式のレール４３２と、乾燥庫本体３の正面３１下部に水平方向に取り付けられ、各扉パネル４０１下部のローラ４０３が係合可能な下部ガイドレール４３３、及び下部ガイドレール４３３に近接してこの下部ガイドレール４３３と平行に取り付けられるチェーン式のレール４３４と、中央の扉パネル４０１の前面中央に取り付けられる減速機付きの駆動モータ４３５と、この駆動モータ４３５に作動連結され、上下方向に延ばされる駆動軸４３６と、この駆動軸４３６の上下端部にそれぞれ固定され、上部のチェーン式のレール４３２に係合可能な上部スプロケット４３７及び下部のチェーン式のレール４３４に係合可能な下部スプロケット４３８とを備え、各扉パネル４０１は上下部の各ローラ４０２、４０３を介して上下部の各ガイドレール４３１、４３３間に配置され、また、各中央の扉パネル４０１に取り付けられた上下部の各スプロケット４３７、４３８が上下部の各チェーン式のレール４３２、４３４に係合される。このようにして左右の各扉４１、４２は各扉駆動機構４３、４３の動作により駆動される。すなわち、左右の各扉４１、４２により乾燥庫本体３の正面開口３０全面が閉じられているとすると、各駆動モータ４３５、４３５の作動により上下部の各スプロケット４３７，４３８、４３７，４３８が上下部の各チェーン式のレール４３２、４３４上で所定方向に回転駆動されると、各中央の扉パネル４０１、４０１は上下部の各ローラ４０２，４０３、４０２，４０３が上下部の各ガイドレール４３１、４３３に沿って転動し、開口３０の中央から各側部に向けて駆動されるとともに、これに連結される各扉パネル４０１が各中央の扉パネル４０１、４０１に押されて順次上下部の各ガイドレール４３１、４３３に対して直角方向に回動しながら上下部の各ガイドレー���４３１、４３３に沿って開口３０の中央側から各側部に向けて駆動されて、相互に折り畳まれ、開口３０の各側部に重合される。また、この状態から、各駆動モータ４３５、４３５の作動により上下部の各スプロケット４３７，４３８、４３７，４３８が反対方向に回転駆動されると、各中央の扉パネル４０１、４０１は上下部の各ローラ４０２，４０３、４０２，４０３が上下部の各ガイドレール４３１、４３３に沿って転動し、開口３０の各側部から中央に向けて駆動されるとともに、これに連結される各扉パネル４０１が各中央の扉パネル４０１に引かれて順次上下部の各ガイドレール４３１、４３３に対して平行となるように開口３０の各側部から中央に向けて駆動されて、開口３０の各側部と中央との間に一連の連結状態に伸展され、これら各扉４１、４２により開口３０全面が閉じられて、乾燥庫本体３の内部と外部が完全に遮断される。このようにして各扉４１、４２により開口３０の概ね全面が開閉されるようになっている。
【００１４】  なお、この木材乾燥装置１の場合、既述のとおり、扉４の内側で開口３０は保温性及び透湿性を有し、さらに遠赤外線の透過率の低いシート４４により覆われるようになっている。この場合、シート４４は保温性、吸水性・透湿性を有し、遠赤外線の透過率の低いＰＶＡフィルムを用いたシートが採用され、開口３０全面を覆い塞ぐ大きさを有し、カーテン形式（カーテンがカーテンレールに、カーテンレールに転動可能に配設される複数のローラ及びこれらのローラに連結される複数のフックを介して吊り下げられる構造）で乾燥庫２の正面開口３０の上部から開閉可能に吊り下げられる。なお、ここでシート４４の開閉は手動式としたが、電動式であってもよい。
【００１５】  ラック５は乾燥庫本体３内部に乾燥庫本体３の組み立てとともに一体的に組み込まれる。ラック５は、図１及び図２に示すように、乾燥庫本体３内部に背面３２に沿って所定の間隔で配列される複数の支柱５２と、各支柱５２間を連結する連結部材５３及び筋交い５４と、基端が各支柱５２に固定され、正面３１の開口３０に向けて水平に延ばされる複数の支持アーム５１とからなり、少なくとも各支持アーム５１は正面３１の開口３０に対応する垂直面の範囲内に収まるように配置される。この場合、各支柱５２はＨ形鋼などの鋼材からなり、乾燥庫本体３の下面３６上に背面３２との間に所定の間隔をあけて背面３２に沿って一列に立ち上げられる。なお、各支柱５２の下端部は乾燥庫２の設置ベース２１に固定される。各連結部材５３はＨ形鋼などの鋼材からなり、各支柱５２間に上下方向に所定の間隔で固着される。併せて、筋交い５４が配設される。各支持アーム５１はＨ形鋼などの鋼材からなり、各支柱５２に上下方向に所定の間隔で同じ高さに多段状に配列して固定される。なお、この場合、隣り合う各支柱５２の間隔及び各支持アーム５１の間隔は隣り合う各支持アーム５１、５１間にフォークリフトのフォークが差し込まれて上下動可能な寸法が確保される。このようにして長い木材でも短い木材でも複数の木材を横置きにして各段の各支持アーム５１に架け渡し、積み重ねることができ、その積み下ろし作業をフォークリフトを使って行えるようになっている。
【００１６】  このようにして乾燥庫２が構成され、この乾燥庫２内部に電気式ヒータ６、ファン７、併せて調湿材８が装備される。この場合、電気式ヒータ６は、複数の遠赤外線ヒータが採用され、乾燥庫本体３の下面３６上所定の位置及び背面３２、側面３３、３４の上下方向中間所定の位置にそれぞれ設置される。ファン７は複数のファンが用いられ、乾燥庫本体３の正面３１、背面３２、左右両側面３３、３４のいずれかの上部側所定の位置に設置される。調湿材８は調湿木炭が不織布からなる袋に封入されたもので、この袋のまま天井部３５１上全面及び下面３６上の適宜の位置に敷設される。このようにして複数の木材を横置きにして乾燥庫２正面の横長の開口３０を通じて横長の乾燥庫２内に装入し、各段の各支持アーム５１に横置きに積み上げて乾燥するようになっている。
【００１７】  この木材乾燥装置１では、次のような手順で木材の乾燥が行われる。なお、この場合、乾燥庫２の初期の状態として、正面３１の開口３０が折り畳み式の扉４により閉じられているものとする。図１、図２及び図４を参照されたい。
【００１８】  図１において、まず、作業員によりフォークリフトを操作して、乾燥させる木材を乾燥庫２に搬入する準備を行い、当該木材を横置きの状態でフォークリフトのフォーク上に搭載し、乾燥庫２の正面３１前に待機する。そして、乾燥庫２の正面３１の折り畳み式の扉４を開き、さらにシート４４を開いて、正面３１の横長の開口３０を開放する。この場合、図２に示すように、各中央の扉パネル４０１、４０１の各駆動モータ４３５、４３５を作動して上下部の各スプロケット４３７，４３８、４３７，４３８を所定方向に回転駆動すると、各中央の扉パネル４０１、４０１は上下部の各ローラ４０２，４０３、４０２，４０３が上下部の各ガイドレール４３１、４３３に沿って転動し、開口３０の中央から各側部に向けて駆動されるとともに、これに連結される各扉パネル４０１が各中央の扉パネル４０１に押されて順次上下部の各ガイドレール４３１、４３３に対して直角方向に回動しながら上下部の各ガイドレール４３１、４３３に沿って開口３０の中央側から各側部に向けて駆動されて、相互に折り畳まれ、開口３０の各側部に重合される。そして、シート４４が作業員により手作業で引かれ、開口３０の側部に寄せられる。このようにして各扉４１、４２が開口３０の両側部に移動され折り畳まれ、シート４４が開口３０の一側部又は両側部に移動されて、正面３１の開口３０の概ね全面が開放される。
【００１９】  続いて、図４（ａ）に示すように、作業員の操作によりフォークリフトＦが前進されて、木材Ｗを載せたフォークＦ１１が横置き状態の複数の木材Ｗとともに開口３０を通じて乾燥庫２内に装入される。そして、必要に応じてフォークＦ１１の高さを調整しながら、横置き状態の複数の木材Ｗを予め決めた所定の段の各支持アーム５１、５１間に架け渡して横置きに積み上げる。この場合、長い木材であれば、木材Ｗを当該段のすべての支持アーム５１間に跨って支持し、短い木材であれば、木材Ｗを当該段の一部の支持アーム５１間に跨って支持すればよい。さらに乾燥させる木材Ｗがある場合は、フォークリフトＦにより同様の作業が繰り返される。
【００２０】  このようにして乾燥させる木材Ｗの搬入が終わると、図４（ｂ）に示すように、フォークリフトＦを後退させて、フォークＦ１１を乾燥庫２から引き出す。そして、図１、図２を参照すると、乾燥庫２正面のシート４４を引き、開口３０全面に移動して開口３０を覆い、続いて、折り畳み式の扉４を閉動して、正面３１の開口３０を閉じる。この場合、各駆動モータ４３５、４３５の作動により上下部の各スプロケット４３７，４３８、４３７，４３８を反対方向に回転駆動すると、各中央の扉パネル４０１、４０１は上下部の各ローラ４０２，４０３、４０２，４０３が上下部の各ガイドレール４３１、４３３に沿って転動し、開口３０の各側部から中央に向けて駆動されるとともに、これに連結される各扉パネル４０１が各中央の扉パネル４０１に引かれて順次上下部の各ガイドレール４３１、４３３に対して平行となるように開口３０の各側部から中央に向けて駆動されて、開口３０の各側部と中央との間に一連の連結状態に伸展され、これら各扉４１、４２により開口３０全面が閉じられて、乾燥庫本体３の内部と外部が完全に遮断される。そして、各遠赤外線ヒータ６、各ファン７に電力を供給し、乾燥庫２内の空気を各遠赤外線ヒータ６の輻射熱により所定の温度に加熱し、各ファン７により乾燥庫２内を循環させて、乾燥庫２内で木材Ｗの乾燥を開始する。このようにして木材Ｗは所定時間乾燥され、木材Ｗ内部に含んでいる水分を蒸発させる。この場合、正面３１の開口３０はこの開口３０の内側に吊り下げられたシート４４により完全に遮断されるので、シート４４の有する保温作用、透湿作用、及び遠赤外線の反射作用により、乾燥庫２内の乾燥状態は良好に維持される。なお、乾燥庫２内の湿度は天井部３５１裏の調湿材８により調湿される。また、上面３５に設けられた換気用ファンにより、乾燥庫２内は適宜換気される。
【００２１】  そして、木材Ｗの乾燥が完了すると、木材Ｗを乾燥庫２内から搬出する。まず、作業員によりフォークリフトＦを操作して、乾燥庫２の正面３１前に待機し、乾燥庫２の正面３１の折り畳み式の扉４を開き、シート４４を引いて、正面３１の横長の開口３０を開放する。この場合、各駆動モータ４３５、４３５を作動して上下部の各スプロケット４３７，４３８、４３７，４３８を所定方向に回転駆動すると、各中央の扉パネル４０１、４０１は上下部の各ローラ４０２，４０３、４０２，４０３が上下部の各ガイドレール４３１、４３３に沿って転動し、開口３０の中央から各側部に向けて駆動されるとともに、これに連結される各扉パネル４０１が各中央の扉パネル４０１に押されて順次上下部の各ガイドレール４３１、４３３に対して直角方向に回動しながら上下部の各ガイドレール４３１、４３３に沿って開口３０の中央側から各側部に向けて駆動されて、相互に折り畳まれ、開口３０の各側部に重合される。このようにして各扉４１、４２が移動され折り畳まれて、正面３１の開口３０の概ね全面が開放される。
【００２２】  続いて、図４（ｂ）に示すように、作業員の操作によりフォークリフトＦが前進されて、フォークＦ１１が開口３０を通じて乾燥庫２内に装入される。そして、必要に応じてフォークＦ１１の高さを調整しながら、フォークＦ１１を所定の段の各支持アーム５１、５１間に架け渡して横置きに積み上げられた乾燥済みの（複数の）木材Ｗの下に差し込み、上昇させて、乾燥済みの木材ＷをフォークＦ１１の上に搭載する。続いて、図４（ａ）に示すように、フォークリフトＦが後退され、乾燥庫２から乾燥済みの木材Ｗが搬出される。さらに搬出する木材Ｗがある場合は、フォークリフトＦにより同様の作業が繰り返される。木材Ｗの搬出が終了すると、乾燥庫２のシート４４が引かれ、折り畳み式の扉４が閉動されて、正面３１の開口３０が閉じられる。
【００２３】  以上説明したように、この木材乾燥装置１では、複数の木材Ｗを横置きにして乾燥庫２の正面３１の横長の開口３０を通じて横長の乾燥庫２内に装入し、乾燥庫２内の各段の各支持アーム５１に横置きに積み上げて乾燥するので、乾燥させる木材Ｗの出し入れをフォークリフトＦを使って容易にかつ効率よく行え、木材Ｗの乾燥を確実かつ効率よく行うことができる。また、複数の木材Ｗを乾燥庫２内の複数段の支持アーム５１に分けて横置きにするので、各段の各支持アーム５１に先に置かれた木材Ｗが後から置かれた木材Ｗにより過剰な荷重を受けることがなく、木材Ｗを曲げたり損傷させたりすることがなく、木材品質を良好に維持しつつ、木材Ｗを確実かつ効率よく乾燥することができる。
【００２４】  なお、上記実施の形態では、開口に吸水性・透湿性を有するシートを併設したが、開口の扉に木製の扉を採用する場合はこのシートは無くてもよく、保温効果を高めるためなど、必要に応じて使用すればよい。また、上記実施の形態では、乾燥庫正面の開口を塞ぐ扉に折り畳み式の扉を採用したが、折り畳み式の扉に代えて、巻き取り式、スライド式の扉が採用されてもよい。この種の扉としては、開口を上下に開閉する上下開閉式のシャッター、左右に開閉する横開閉式（横引き式）シャッターがあり、いずれのものを使用してもよい。この場合、いずれの形式の扉でも、扉の駆動方式は電動式でもよく手動式でもよい。また、扉の基材は木材の他、アルミ、スチール、ステンレスなどの金属材であってもよく、この場合、扉の内側に沿ってＰＶＡフィルムを用いたシートなど保温性、吸水性・透湿性を有し、さらに好ましくは遠赤外線の透過率の低いＰＶＡフィルムを用いたシートを張設することにより、金属製の扉の内側に保温作用、透湿作用、及び遠赤外線の反射作用を持たせることができる。このようにしても上記実施の形態と同様の作用効果を奏することができる。
【符号の説明】
【００２５】１  木材乾燥装置
２  乾燥庫
２１  設置ベース
３  乾燥庫本体
３０  開口
３１  正面
３２  背面
３２０  開口
３２１  扉
３３  側面
３４  側面
３５  上面
３５１  天井部
３６  下面
４  折り畳み式の扉
４１  右側一方の扉
４２  左側他方の扉
４０１  扉パネル
４０２  ローラ
４０３  ローラ
４０４  ヒンジ
４３  扉駆動機構
４３１  上部ガイドレール
４３２  チェーン式のレール
４３３  下部ガイドレール
４３４  チェーン式のレール
４３５  駆動モータ
４３６  駆動軸
４３７  上部スプロケット
４３８  下部スプロケット
４４  保温性及び透湿性を有するシート
５  ラック
５１  支持アーム
５２  支柱
５３  連結部材
５４  筋交い
６  電気式ヒータ
７  ファン
８  調湿材
Ｆ  フォークリフト
Ｆ１１  フォーク
Ｗ  木材
【図１】
0003166769.tif 000003
【図２】
0003166769.tif 000004
【図３】
0003166769.tif 000005
【図４】
0003166769.tif 000006